(57)【要約】【課題】硬貨が内部に残留していることが容易に知ることができる硬貨回収体及び計量装置を提供する。【解決手段】硬貨回収体は、開口部を有し、入出金装置に装着される枠体と、枠体に設けられる持ち手部と、枠体に設置され、硬貨を内部に収容する収容部と、硬貨を検知する検知部と、を備える。硬貨回収体は、発光素子を含む発光部と、検知部の出力に基づいて硬貨を検知した場合、発光部に発光させる制御部と、をさらに備えていてもよい。【選択図】図２
2015156170.tif 000002
【特許請求の範囲】
【請求項１】
開口部を有し、入出金装置に装着される枠体と、
前記枠体に設けられる持ち手部と、
前記枠体に設置され、硬貨を内部に収容する収容部と、
前記硬貨を検知する検知部と、
を備える硬貨回収体。
【請求項２】
前記検知部は、
磁気センサである請求項１記載の硬貨回収体。
【請求項３】
発光素子を含む発光部と、
前記検知部の出力に基づいて硬貨を検知した場合、前記発光部に発光させる制御部と、
をさらに備える請求項１記載の硬貨回収体。
【請求項４】
前面に開口部を有する筐体と、
前記筐体の目視しやすい位置に設置される発光部と、
前記筐体の内部に設けられ、硬貨回収体の重さを検知する計量部と、
前記計量部の出力に基づいて硬貨が前記硬貨回収体の内部に残留していると判定した場合、前記発光部を発光させる制御部と、
を備える計量装置。
【請求項５】
前記硬貨回収体は、
開口部を有し、入出金装置に装着される枠体と、
前記枠体に設けられる持ち手部と、
前記枠体に設置され、硬貨を内部に収容する収容部と、
前記硬貨を検知する検知部と、
を備える請求項４記載の計量装置。
【請求項６】
前記筐体は、
他の前記計量装置の筐体と結合する結合部を備える請求項５記載の計量装置。
【発明の詳細な説明】
【技術分野】
【０００１】
本発明の実施形態は、硬貨回収体及び計量装置に関する。
【背景技術】
【０００２】
ＰＯＳ（Ｐｏｉｎｔ  ｏｆ  ｓａｌｅｓ）システムなどの商品販売データ登録処理装置は金銭を入出金する入出金装置がともにつかわれることが多い。
【０００３】
この入出金装置は、投入された硬貨を金種ごとに振り分けて格納部に格納し、ＰＯＳ端末からの出金指示によって指定された金種を指定された枚数出金する。
【０００４】
格納部は、硬貨を搬送する出金ベルトと、出金ベルト上の硬貨を１枚に剥離する剥離ローラと、硬貨の出金を規制する規制ソレノイドと、を備える。硬貨は出金ベルトによって剥離ローラまで搬送され、剥離ローラによって重なった硬貨が１枚に剥離される。規制ソレノイドが開くと硬貨は１枚ずつ出金される。
【０００５】
入出金装置内の硬貨の回収は硬貨回収体を用いて行われる。具体的には、硬貨回収体は、開口部を有する枠体と、枠体に設けられる収容部と、を備える。入出金装置は硬貨回収体の枠体が装着されると硬貨回収体に硬貨を投入するための搬送路を形成する。
【０００６】
入出金装置は硬貨回収指示が入力されたと判定すると硬貨を搬送する出金ベルトを駆動させて格納部内の硬貨を硬貨回収体に搬送する。
【０００７】
オペレータは硬貨を硬貨回収体に入れたまま店舗事務室に持ってゆき、硬貨の枚数及び金額を計数する硬貨計数装置に投入する。この際、硬貨が硬貨回収体内に残留することがあった。
【０００８】
従来の硬貨回収体は収容部がセキュリティ確保のために不透明な材質によって形成されている。従って、硬貨が硬貨回収体内部に残留した場合、オペレータは硬貨が残留していることに気づきにくかった。
【先行技術文献】
【特許文献】
【０００９】
【特許文献１】特開２００６−２９４０７２号公報
【発明の概要】
【発明が解決しようとする課題】
【００１０】
従って、硬貨が内部に残留していることが容易に知ることができる硬貨回収体及び計量装置が求められている。
【課題を解決するための手段】
【００１１】
上記の課題を解決するために、本発明の一実施形態は、開口部を有し、入出金装置に装着される枠体と、枠体に設けられる持ち手部と、枠体に設置され、硬貨を内部に収容する収容部と、硬貨を検知する検知部と、を備える硬貨回収体を提供する。
【図面の簡単な説明】
【００１２】
【図１】入出金装置を備えるＰＯＳ端末の外観斜視図である。
【図２】硬貨回収体の外観斜視図である。
【図３】入出金装置に硬貨回収体が装着された状態を示す図である。
【図４】入出金装置の硬貨排出部分の側面図である。
【図５】硬貨回収体が入出金装置に装着された様子を示す図である。
【図６】硬貨回収体の構成を示すブロック図である。
【図７】第１の応用例に係る硬貨回収体の外観斜視図である。
【図８】計量装置の外観斜視図である。
【図９】計量装置を複数個集合させた様子を示す斜視図である。
【図１０】計量装置の構成を示すブロック図である。
【発明を実施するための形態】
【００１３】
以下、硬貨回収体及び計量装置の一実施形態について、図面を用いて詳細に説明する。
【００１４】
本実施形態の硬貨回収体は、開口部を有し、開口部を有し、入出金装置に装着される枠体と、枠体に設けられる持ち手部と、枠体に設置され、硬貨を内部に収容する収容部と、硬貨を検知する検知部と、を備える。
【００１５】
図１は、入出金装置１を備えるＰＯＳ端末２の外観斜視図である。図１に示すように、入出金装置１は、ＰＯＳ（Ｐｏｉｎｔ  ｏｆ  ｓａｌｅｓ）端末２及び紙幣入出金装置３と共に使用される。
【００１６】
入出金装置１は、投入された硬貨を金種ごとに振り分けて格納部に格納し、ＰＯＳ端末２からの出金指示によって指定された金種を指定された枚数出金する。
【００１７】
格納部は、硬貨を搬送する出金ベルトと、出金ベルト上の硬貨を１枚に剥離する剥離ローラと、硬貨の出金を規制する規制ソレノイドと、を備える。硬貨は出金ベルトによって剥離ローラまで搬送され、剥離ローラによって重なった硬貨が１枚に剥離される。規制ソレノイドが開くと硬貨は１枚ずつ出金される。
【００１８】
図２は、硬貨回収体１０の外観斜視図である。図２に示すように、硬貨回収体１０は、開口部１０１Ａを有する枠体１０１と、枠体１０１に設けられる持ち手部１０１Ｂと、枠体１０１に設置され、硬貨を内部に収容する収容部１０２と、ＬＥＤなどの発光素子を含む発光部１０３と、硬貨を検知する検知部６０４である磁気センサ１０４と、磁気センサ１０４の出力に基づいて硬貨を検知した場合発光部１０３に発光させる制御部１０５と、制御部１０５に電力を供給する電源部１０６と、を備える。
【００１９】
枠体１０１は、例えばプラスチックなどの樹脂によって形成される。
【００２０】
収容部１０２は、布などの不透明な可撓性材料によって形成され、収容部１０２の口が開口部１０１Ａに対応するように枠体１０１に設置される。
【００２１】
また、収容部１０２は、下方部先端に行くにしたがって細くなるように形成されることが、硬貨を集めやすいという点において望ましい。
【００２２】
検知部６０４は、例えば磁気センサ１０４を用いることができるが、硬貨を検知できれば他の検知手段を用いてもよい。
【００２３】
磁気センサ１０４は、内部にコイルを有し、コイルが発生させる磁束が金属によって形成される硬貨によって変化されることを検知して硬貨の有無を検知する。
【００２４】
発光部１０３は枠体の目視確認しやすい位置に設置される。発光部１０３の発光する光の色は赤色などの認識しやすい色が望ましい。
【００２５】
制御部１０５は、例えばＩＣ（集積回路）チップなどの論理回路を含む。制御部１０５は、検知部６０４の出力に基づいて硬貨があると判定した場合、発光部１０３を発光させる。
【００２６】
電源部１０６は電池を含む。なお、電源部１０６は、入出金装置１に硬貨回収体１０が装着されたときに入出金装置１から電力が供給されるように構成してもよい。
【００２７】
図３は、入出金装置１に硬貨回収体１０が装着された状態を示す図である。図３に示すように、硬貨回収体１０は入出金装置１の前面の下部に装着される。
【００２８】
図４は、入出金装置１の硬貨排出部分の側面図である。図４に示すように、入出金装置１は、出金された硬貨を受ける受け皿２０１と、格納部内の硬貨を出金方向に搬送する出金ベルト２０２と、硬貨を搬送する硬貨搬送路２０３Ａを備える搬送路切替部２０３と、を備える。
【００２９】
搬送路切替部２０３は、硬貨を受け皿２０１に案内する排出部２０３Ｃと、硬貨回収体１０の枠体が当接する当接部２０３Ｂと、を備える。
【００３０】
搬送路切替部２０３は、硬貨回収体１０が装着されていない場合には、弾性体等によって出金ベルト２０２から排出された硬貨が排出部２０３Ｃの上を滑って受け皿２０１に排出されるように付勢されている。
【００３１】
図５は、硬貨回収体１０が入出金装置１に装着された様子を示す図である。図５に示すように、硬貨回収体１０が入出金装置１に装着されると枠体１０１は当接部２０３Ｂを押して搬送路切替部２０３を回動させる。
【００３２】
搬送路切替部２０３が回動すると、硬貨搬送路２０３Ａの一方の端部は出金ベルト２０２の端部に変位する。
【００３３】
この状態において、硬貨搬送路２０３Ａの他方の端部は受け皿２０１の開口部と合わさる。受け皿２０１の開口部の下方には硬貨回収体１０の開口部１０１Ａが位置する。
【００３４】
従って、出金ベルト２０２によって出金された硬貨は硬貨搬送路２０３Ａを通って、受け皿２０１の開口部から硬貨回収体１０の収容部１０２の内部に回収される。
【００３５】
図６は、硬貨回収体１０の構成を示すブロック図である。図６に示すように、硬貨回収体１０は、論理演算を行うＩＣなどの演算装置を含む制御部１０５と、電力を供給する電源部１０６と、発光素子を含む発光部１０３と、硬貨を検知する検知部６０４と、を備える。
【００３６】
図７は、第１の応用例に係る硬貨回収体１０の外観斜視図である。図７に示すように、硬貨回収体１０は、開口部１０１Ａを有する枠体１０１と、枠体１０１に設けられる持ち手部１０１Ｂと、枠体１０１に設置され、底部を透視できる透明部７０２及び透明部７０２を被覆する不透明部７０１を有し、硬貨を内部に収容する収容部１０２と、ＬＥＤなどの発光素子を含む発光部１０３と、硬貨を検知する検知部６０４である磁気センサ１０４と、磁気センサ１０４の出力に基づいて硬貨を検知した場合発光部１０３に発光させる制御部１０５と、制御部１０５に電力を供給する電源部１０６と、を備える。
【００３７】
透明部７０２は、透明なビニールなどの可撓性樹脂によって形成され、収容部１０２の底部に残留した硬貨Ｃを透視することができる。
【００３８】
不透明部７０１は、透明部７０２を覆い、内部の硬貨が目視されることを妨げる。
【００３９】
不透明部７０１は、ファスナー、マジックテープ(登録商標)などの係止部材によって収容部１０２に開閉可能に止められる。
【００４０】
従って、硬貨回収体１０に残った残留硬貨は、発光部１０３の発光に加え、不透明部７０１を開けて透明部７０２から透視することによって容易に発見される。
【００４１】
なお、第２の応用例として、次の構成を有する硬貨回収体１０を説明する。すなわち、硬貨回収体１０は、開口部１０１Ａを有する枠体１０１と、枠体１０１に設けられる持ち手部１０１Ｂと、枠体１０１に設置され、底部を透視できる透明部７０２及び透明部７０２を被覆する不透明部７０１を有し、硬貨を内部に収容する収容部１０２と、を備える。
【００４２】
この構成を有する硬貨回収体１０は、より安価に製造することができるという効果がある。
【００４３】
以上述べたように、本実施形態の硬貨回収体１０は、開口部１０１Ａを有する枠体１０１と、枠体１０１に設けられる持ち手部１０１Ｂと、枠体１０１に設置され、硬貨を内部に収容する収容部１０２と、ＬＥＤなどの発光素子を含む発光部１０３と、硬貨を検知する検知部６０４である磁気センサ１０４と、検知部６０４の出力に基づいて硬貨を検知した場合発光部１０３に発光させる制御部１０５と、制御部１０５に電力を供給する電源部１０６と、を備える。
【００４４】
従って、硬貨が収容部１０２の内部に残留していても発光部１０３が発光することにより容易に硬貨の残留を知ることができるという効果がある。
【００４５】
図８は、計量装置８００の外観斜視図である。図８に示すように、計量装置８００は、前面に開口部を有する筐体８０１と、筐体８０１の目視しやすい位置に設置される発光部８０３と、硬貨回収体１０の重さを検知する計量部８０２と、計量部８０２の出力に基づいて硬貨が硬貨回収体１０の内部に残留していると判定した場合、発光部８０３を発光させる制御部８０４と、を備える。
【００４６】
発光部８０３は、ＬＥＤなどの発光素子を含む。
【００４７】
制御部８０４は、計量部８０２の出力に基づいて、空の硬貨回収体１０の重量より重いと判定した場合、硬貨が硬貨回収体の内部に残留していると判定して発光部８０３に発光させる。
【００４８】
空の硬貨回収体１０の重さは別途設ける記憶部に格納してもよい。この場合、制御部８０４は、計量部８０２が検知した硬貨回収体１０の重さと記憶部から読み出した空の硬貨回収体１０の重さとを比較し、計量部８０２が検知した重さが空の硬貨回収体１０の重さよりも重いと判定した場合に硬貨が残留していると判定する。
【００４９】
図９は、計量装置８００を複数個集合させた様子を示す斜視図である。図９に示すように、計量装置８００は複数個積み上げて使用することができる。
【００５０】
この場合、計量装置８００は、他の計量装置８００と結合するための結合部を筐体８０１に有していてもよい。
【００５１】
結合部の形状に限定はない。結合部は、例えば筐体８０１の上部に設置される上部結合部が凸部を有し、筐体８０１の底部に設置される底部結合部が上部結合部と嵌合する凹部を有するように構成することができる。
【００５２】
図１０は、計量装置８００の構成を示すブロック図である。図１０に示すように、計量装置８００は、演算装置であるＣＰＵ（ｃｅｎｔｒａｌ  ｐｒｏｃｅｓｓｉｎｇ  ｕｎｉｔ）又はＩＣ（集積回路）を含む制御部８０４と、電力を供給する電源部１００２と、発光素子を含む発光部８０３と、硬貨回収体１０の重さを検知する計量部８０２と、を備える。
【００５３】
以上述べたように、本実施形態の計量装置８００は、前面に開口部を有する筐体８０１と、筐体８０１の目視しやすい位置に設置される発光部８０３と、筐体８０１の内部に設けられ、硬貨回収体１０の重さを検知する計量部８０２と、計量部８０２の出力に基づいて硬貨が硬貨回収体１０の内部に残留していると判定した場合、発光部８０３を発光させる制御部８０４と、を備える。
【００５４】
従って、オペレータは硬貨回収体１０を計量装置８００に設置するだけで硬貨の残留を知ることができるという効果がある。
【００５５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１：入出金装置
１０：硬貨回収体
１０１：枠体
１０２：収容部
１０３：発光部
１０４：検知部
１０５：制御部
１０６：電源部
８００：計量装置
【図１】
2015156170.tif 000003
【図２】
2015156170.tif 000004
【図３】
2015156170.tif 000005
【図４】
2015156170.tif 000006
【図５】
2015156170.tif 000007
【図６】
2015156170.tif 000008
【図７】
2015156170.tif 000009
【図８】
2015156170.tif 000010
【図９】
2015156170.tif 000011
【図１０】
2015156170.tif 000012